(57)【要約】【課題】本発明は、画情報記憶手段に蓄積するファクシミリ文書の機密を安価にかつ適切に保持するファクシミリ装置に関する。【解決手段】ファクシミリ装置１は、着脱可能な不揮発性の画情報メモリ７に画情報を格納するが、画情報を二次元のＭＭＲ符号化方式で符号化するとともに、任意に設定されたビットパターンを参照ラインデータとして利用して画情報をＭＭＲ方式で符号化し、当該符号化した画情報を画情報メモリ７に格納し、また、当該参照ラインデータを画情報メモリ７とは異なるシステムメモリ６に記憶する。したがって、新たに専用のハードウェアを用いることなく、画情報メモリ７内の画情報が第三者に二次利用されるのを安価にかつ確実に防止することができる。【選択図】          図１
2005210156.tif 000002
【特許請求の範囲】
【請求項１】
着脱可能な不揮発性の画情報記憶手段を備え、当該画情報記憶手段に画情報を格納するファクシミリ装置において、前記画情報を二次元のＭＭＲ符号化方式で符号化するとともに、任意に設定されたビットパターンを参照ラインデータとして利用して当該画情報をＭＭＲ方式で符号化し、当該符号化した画情報を前記画情報記憶手段に格納することを特徴とするファクシミリ装置。
【請求項２】
前記ファクシミリ装置は、前記参照ラインデータを前記画情報記憶手段とは異なる記憶手段に記憶することを特徴とする請求項１記載のファクシミリ装置。
【請求項３】
前記ファクシミリ装置は、前記参照ラインデータを所定のタイミングで自動的に更新することを特徴とする請求項１または請求項２記載のファクシミリ装置。
【発明の詳細な説明】
【技術分野】
【０００１】
本発明は、ファクシミリ装置に関し、詳細には、画情報記憶手段に蓄積するファクシミリ文書の機密を安価にかつ適切に保持するファクシミリ装置に関する。
【背景技術】
【０００２】
近年、処理の高速化を図るために、画情報を格納する着脱可能な不揮発性メモリを備えたファクシミリ装置が出現しており、このようなファクシミリ装置においては、画情報を格納したメモリが外されて、他の読出装置で画情報が取り出されるおそれがある。特に、画情報を保存するメモリとして、ハードディスクを使用している場合、画情報を保存したハードディスクにおいては、再度画情報の書込動作を行なわないと、画情報が消失しないが、再度書込動作を行なうと、通常のアクセスの２倍の操作が必要になるため、効率が非常に悪く、ファクシミリ装置の利用性が低下する。
【０００３】
そして、今日、情報のセキュリティが重要な問題となってきており、ファクシミリ装置においても、ファクシミリ装置を破棄した後においても、あるいは、盗難にあっても、画像を二次利用できなくするような対策が望まれる。
【０００４】
そして、本出願人は、先に、デジタル方式の複写装置あるいはファクシミリ機能を備えた複合複写装置において、誰が、何時、どのような画像を複写あるいは送信したかを第三者に判明しない画像として暗号化して機械内部に残すことのできるセキュリティ機能付複写装置を提案している（特許文献１参照）。
【０００５】
【特許文献１】特許第３３５６２３０号公報
【発明の開示】
【発明が解決しようとする課題】
【０００６】
しかしながら、上記公報記載の従来技術にあっては、セキュリティ用の画像を暗号化して保存しているため、暗号化や解読作業に時間がかかり、利用性が損なわれる場合があり、また、この利用性を向上させるために、専用のハードウエアを用意すると、価格が高くなるという問題がある。また、上記公報記載の従来技術にあっては、画情報記憶手段が取り外された場合やファクシミリ装置が破棄された場合に、画情報記憶手段に残っている画情報の機密性を確保することができない。
【０００７】
そこで、本発明は、新たに専用のハードウェアを用いることなく、安価にかつ適切に画情報の二次利用を防止して、機密性の良好なファクシミリ装置を提供することを目的としている。
【０００８】
具体的には、請求項１記載の発明は、着脱可能な不揮発性の画情報記憶手段に画情報を格納するに際して、画情報を二次元のＭＭＲ符号化方式で符号化するとともに、任意に設定されたビットパターンを参照ラインデータとして利用して当該画情報をＭＭＲ方式で符号化し、当該符号化した画情報を画情報記憶手段に格納することにより、新たに専用のハードウェアを用いることなく、画情報記憶手段内の画情報が第三者に二次利用されるのを安価にかつ確実に防止し、機密性の良好なファクシミリ装置を提供することを目的としている。
【０００９】
請求項２記載の発明は、参照ラインデータを画情報記憶手段とは異なる記憶手段に記憶することにより、画情報記憶手段がファクシミリ装置から取り外して持ち出されても、当該画情報記憶手段内の画情報の復号化を行えないようにして、安価にかつより一層確実に画情報の二次利用を防止し、機密性のより一層良好なファクシミリ装置を提供することを目的としている。
【００１０】
請求項３記載の発明は、参照ラインデータを所定のタイミングで自動的に更新することにより、参照ラインデータが漏洩した場合にも、画情報が復号化されることを防止して、安価にかつより一層確実に画情報の二次利用を防止し、機密性のより一層良好なファクシミリ装置を提供することを目的としている。
【課題を解決するための手段】
【００１１】
請求項１記載の発明のファクシミリ装置は、着脱可能な不揮発性の画情報記憶手段を備え、当該画情報記憶手段に画情報を格納するファクシミリ装置において、前記画情報を二次元のＭＭＲ符号化方式で符号化するとともに、任意に設定されたビットパターンを参照ラインデータとして利用して当該画情報をＭＭＲ方式で符号化し、当該符号化した画情報を前記画情報記憶手段に格納することにより、上記目的を達成している。
【００１２】
この場合、例えば、請求項２に記載するように、前記ファクシミリ装置は、前記参照ラインデータを前記画情報記憶手段とは異なる記憶手段に記憶するものであってもよい。
【００１３】
また、例えば、請求項３に記載するように、前記ファクシミリ装置は、前記参照ラインデータを所定のタイミングで自動的に更新するものであってもよい。
【発明の効果】
【００１４】
請求項１記載の発明のファクシミリ装置によれば、着脱可能な不揮発性の画情報記憶手段に画情報を格納するに際して、画情報を二次元のＭＭＲ符号化方式で符号化するとともに、任意に設定されたビットパターンを参照ラインデータとして利用して当該画情報をＭＭＲ方式で符号化し、当該符号化した画情報を画情報記憶手段に格納するので、新たに専用のハードウェアを用いることなく、画情報記憶手段内の画情報が第三者に二次利用されるのを安価にかつ確実に防止することができ、機密性を向上させることができる。
【００１５】
請求項２記載の発明のファクシミリ装置によれば、参照ラインデータを画情報記憶手段とは異なる記憶手段に記憶するので、画情報記憶手段がファクシミリ装置から取り外して持ち出されても、当該画情報記憶手段内の画情報の復号化を行えないようにして、安価にかつより一層確実に画情報の二次利用を防止することができ、機密性をより一層向上させることができる。
【００１６】
請求項３記載の発明のファクシミリ装置によれば、参照ラインデータを所定のタイミングで自動的に更新するので、参照ラインデータが漏洩した場合にも、画情報が復号化されることを防止して、安価にかつより一層確実に画情報の二次利用を防止することができ、機密性をより一層向上させることができる。
【発明を実施するための最良の形態】
【００１７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１８】
図１〜図９は、本発明のファクシミリ装置の一実施例を示す図であり、図１は、本発明のファクシミリ装置の一実施例を適用したファクシミリ装置１のブロック構成図である。
【００１９】
図１において、ファクシミリ装置１は、読取部２、記録部３、符号化・復号化部４、システム制御部５、システムメモリ６、画情報メモリ７、操作表示部８、通信制御部９、モデム１０及びスイッチ（ＳＷ）部１１等を備えており、上記主要各部は、バス１２に接続されている。
【００２０】
読取部２は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつ読取部２の原稿読取位置に送給する。読取部２は、ＡＤＦから搬送されてきた原稿を走査し、原稿の画像を所定の解像度で読み取る。
【００２１】
記録部３は、例えば、電子写真式記録装置等が使用されており、受信した画情報や読取部２で読み取った原稿の画情報を記録紙に記録出力する。
【００２２】
符号化・復号化部４は、画情報の画情報メモリ７への蓄積の効率化及び伝送時間の短縮化を図るためのものであり、所定の符号化方式に従って画情報を符号化し、また、符号化された画情報を復号化する。符号化・復号化部４は、特に、画情報メモリ７に蓄積する画情報の機密性を確保するために、画情報を任意の参照ラインデータを用いた二次元のＭＭＲ（Modified ＭＲ ：ＭＲ（Modufied Relative element address designate ））方式で符号化し、また、ＭＭＲで符号化された画情報を復号化する。
【００２３】
システム制御部５は、内部プログラムに基づいてファクシミリ装置１の各部を制御して、ファクシミリ装置１としての処理を実行するとともに、本発明の画情報機密管理処理を実行する。
【００２４】
システムメモリ（記憶手段）６は、システム制御部５が使用する不揮発性メモリであり、ファクシミリ装置１の制御に必要な各種情報を記憶する。
【００２５】
画情報メモリ（画情報記憶手段）７は、着脱可能なハードディスクや大容量のＲＡＭ（Random Access Memory）等で構成され、読取部２により読み取られて符号化・復号化部４で符号化された原稿の符号化画情報を蓄積するとともに、受信した符号化画情報を蓄積する。
【００２６】
操作表示部８は、テンキーやスタートキー等の各種操作キーを備えるとともに、ディスプレイ（例えば、液晶ディスプレイ）やＬＥＤ等を備え、操作キーからは、送信操作等の各種命令が入力され、ディスプレイには、操作キーから入力された命令内容やファクシミリ装置１からオペレータに通知する各種情報が表示される。
【００２７】
通信制御部９には、モデム１０とスイッチ部１１が接続されており、スイッチ部１１は、回線との物理的なＩ／Ｆを有して、図示しない電話機側とファクシミリ側との回線接続の切り換えを行う。モデム１０は、回線と通信制御部９との間でアナログ信号の変調／復調を行い、Ｖ．２１チャネル２、Ｖ．１７、Ｖ．２９、Ｖ２７ｔｅｒ、Ｖ．８、Ｖ．３４の機能を有している。そして、通信制御部９は、Ｇ３あるいはＧ４ファクシミリ通信時、相手ファクシミリ装置との間でファクシミリ制御信号の交換を行って通信機能の設定や各種制御情報の交換を行い、Ｇ３、Ｇ４ファクシミリ通信を制御する。
【００２８】
次に、本実施例の作用を説明する。本実施例のファクシミリ装置１は、通常のファクシミリ文書の符号化で使用する二次元符号化方式のＭＭＲ方式でファクシミリ文書を符号化するとともに、その参照ラインとして通常の白ラインではなく、当該ファクシミリ文書の利用者が任意に設定したビットパターンを参照ラインデータとして使用して符号化した後、画情報メモリ７に蓄積するところにその特徴がある。
【００２９】
すなわち、ファクシミリ文書を画情報メモリ７に蓄積させる利用者は、操作表示部８のキー操作を行って、画情報メモリ７に蓄積させるファクシミリ文書の符号化／復号化に使用する参照ラインパターンを入力する。この参照ラインパターンとしては、例えば、図２に示すようなものであり、システムメモリ６に格納される。
【００３０】
そして、システム制御部５は、参照ラインパターンが操作表示部８から入力されると、この入力された参照ラインパターンをもとに、図３に示すようなファクシミリ文書の符号化時に実際に使用するビット数の初期参照ラインデータを作成して、システムメモリ６に格納する。このように、参照ラインパターン及び初期参照ラインデータをファクシミリ文書を格納する画情報メモリ７とは別のメモリであるシステムメモリ６に格納するのは、機密性を向上させるためである。
【００３１】
そして、画情報メモリ７に格納されるファクシミリ文書情報は、図４に示すように、文書種類（受信／送信／保存）、総ページ数、送信宛先情報リンク、生成年月日、生成時刻、処理済みページ数、文書名及び原稿情報リンク等からなっている。
【００３２】
そして、ファクシミリ装置１は、具体的には、以下のようにプログラム文書の機密保持処理を行う。まず、ファクシミリ装置１は、ファクシミリ文書の受信を行う場合には、図５に示すように、システム制御部５の制御下で、通常のファクシミリ受信の場合と同様に、モデム１０を介して受信した所定の符号化方式で符号化されたファクシミリ文書を通信制御部９を介して符号化・復号化部４に転送し、符号化・復号化部４で、復号して生情報に戻す。システム制御部５は、システムメモリ６に格納されている初期参照ラインデータを取り出して符号化・復号化部４に渡し、一旦生情報に戻したファクシミリ受信文書を、符号化・復号化部４に、当該初期参照ラインデータを使用してＭＭＲ方式で符号化させ、当該符号化されたファクシミリ受信文書を画情報メモリ７に格納する。
【００３３】
また、システム制御部５は、操作表示部８からの印刷指示があると、図６に示すように、印刷指示されたファクシミリ文書を画情報メモリ７から読み出して、符号化・復号化部４に渡すとともに、当該ファクシミリ文書のＭＭＲ方式で符号化した際に使用した初期参照ラインデータをシステムメモリ６から読み出して符号化・復号化部４に渡し、符号化・復号化部４に当該初期参照ラインデータを使用してＭＭＲ方式で符号化されているファクシミリ文書を生情報に復号化させる。システム制御部５は、復号化された生情報のファクシミリ文書を記録部３に転送して、記録部３に当該ファクシミリ文書を記録紙に記録出力させる。
【００３４】
さらに、システム制御部５は、原稿が読取部２にセットされて、ファクシミリ文書の蓄積指示が操作表示部８からあると、図７に示すように、読取部２に当該セットされた原稿の読み取りを行わせて、読取部２の読み取った生情報のファクシミリ文書を符号化・復号化部４に渡すとともに、システムメモリ６から初期参照ラインデータを読み出して符号化・復号化部４に渡し、符号化・復号化部４に当該初期参照ラインデータを使用してＭＭＲ方式で符号化させる。システム制御部５は、符号化・復号化部４で符号化されたファクシミリ文書を画情報メモリ７に格納する。
【００３５】
そして、システム制御部５は、操作表示部８から画情報メモリ７内の文書の送信指示があると、図８に示すように、当該ＭＭＲ方式で符号化されているファクシミリ文書を画情報メモリ７から読み出して、符号化・復号化部４に渡すとともに、当該ファクシミリ文書のＭＭＲ方式で符号化した際に使用した初期参照ラインデータをシステムメモリ６から読み出して符号化・復号化部４に渡し、符号化・復号化部４に当該初期参照ラインデータを使用してＭＭＲ方式で符号化されているファクシミリ文書を生情報に復号化させる。システム制御部５は、復号化された生情報のファクシミリ文書を、通常のファクシミリ送信時と同様に、所定の符号化方式で再符号化して、再符号化したファクシミリ文書を通信制御部９及びモデム１０を介して相手ファクシミリ装置に送信する。
【００３６】
そして、システム制御部５は、所定のタイミングで、自動的に参照ラインデータを変更する。すなわち、システム制御部５は、図９に示すように、所定間隔毎に、記録動作や送信動作が終わったかチェックし（ステップＳ１０１）、記録動作や送信動作中であると、参照ラインデータの変更を行うことはできないと判断して、処理を終了する。
【００３７】
ステップＳ１０１で、記録動作や送信動作が終了していると、システム制御部５は、画情報メモリ７からファクシミリ文書がなくなったかチェックし（ステップＳ１０２）、画情報メモリ７にファクシミリ文書があるときには、参照ラインデータの変更を行うと、復号化できなくなるファクシミリ文書が画情報メモリ７に残ることとなるため、参照ラインデータの変更を行うことなく、処理を終了する。
【００３８】
ステップＳ１０２で、画情報メモリ７内にファクシミリ文書がなくなると、システム制御部５は、ファクシミリ受信や原稿の読み取りが開始されないように、システムをロックし（ステップＳ１０３）、初期参照ラインデータをシステムメモリ６から読み出す（ステップＳ１０４）。システム制御部５は、読み出した初期参照ラインデータに対して、乱数で排他的論理和をかけることで、初期参照ラインデータにランダムな変更を加え（ステップＳ１０５）、変更した初期参照ラインデータを上記読み出した初期参照ラインデータに上書きすること等で、前の初期参照ラインデータを消去するとともに、新しい初期参照ラインをシステムメモリ６に書き込む（ステップＳ１０６）。
【００３９】
このように、本実施例のファクシミリ装置１は、着脱可能な不揮発性の画情報メモリ７に画情報を格納するに際して、画情報を二次元のＭＭＲ符号化方式で符号化するとともに、任意に設定されたビットパターンを参照ラインデータとして利用して当該画情報をＭＭＲ方式で符号化し、当該符号化した画情報を画情報メモリ７に格納している。
【００４０】
したがって、新たに専用のハードウェアを用いることなく、画情報メモリ７内の画情報が第三者に二次利用されるのを安価にかつ確実に防止することができ、機密性を向上させることができる。
【００４１】
また、本実施例のファクシミリ装置１は、参照ラインデータを画情報メモリ７とは異なるシステムメモリ６に記憶している。
【００４２】
したがって、画情報メモリ７がファクシミリ装置１から取り外して持ち出されても、当該画情報メモリ７内の画情報の復号化を行えないようにして、安価にかつより一層確実に画情報の二次利用を防止することができ、機密性をより一層向上させることができる。
【００４３】
さらに、本実施例のファクシミリ装置１は、参照ラインデータを所定のタイミングで自動的に更新している。
【００４４】
したがって、参照ラインデータが漏洩した場合にも、画情報が復号化されることを防止して、安価にかつより一層確実に画情報の二次利用を防止することができ、機密性をより一層向上させることができる。
【００４５】
なお、上記説明では、画情報メモリ７からファクシミリ文書がなくなるタイミングで、初期参照ラインデータを変更しているが、初期参照ラインデータを変更するのは、上記タイミングに限るものではなく、画情報メモリ７にファクシミリ文書がない状態であれば、日替わりタイミングや月替わりタイミングに行ってもよい。また、画情報メモリ７にファクシミリ文書があっても、変更前の初期参照ラインデータを当該画情報メモリ７に残っているファクシミリ文書が画情報メモリ７に残っている間だけ消去せずに、当該残っているファクシミリ文書用に残すようにすることで、画情報メモリ７にファクシミリ文書が残っている状態であっても、初期参照ラインデータを変更してもよい。
【００４６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００４７】
ハードディスク等の画情報メモリに機密性を要するファクシミリ文書を蓄積し、当該ファクシミリ文書の機密性を安価にかつ処理時間を短縮しつつ確保するファクシミリ装置に適用することができる。
【図面の簡単な説明】
【００４８】
【図１】本発明のファクシミリ装置の一実施例を適用したファクシミリ装置のブロック構成図。
【図２】図１の画情報メモリに格納するファクシミリ文書をＭＭＲ方式で符号化するために操作表示部から入力される参照ラインパターンの一例を示す図。
【図３】図２の参照ラインパターンに基づいて作成したファクシミリ文書の符号化時に実際に使用するビット数の初期参照ラインデータの一例を示す図。
【図４】図１の画情報メモリに格納されるファクシミリ文書の文書情報の一例を示す図。
【図５】図１のファクシミリ装置によるファクシミリ受信時のファクシミリ文書の処理の流れを示す図。
【図６】図１のファクシミリ装置による画情報メモリ内のファクシミリ文書の記録時の処理の流れを示す図。
【図７】図１のファクシミリ装置による読み取り文書の画情報メモリへの蓄積処理の流れを示す図。
【図８】図１のファクシミリ装置による画情報メモリ内のファクシミリ文書のファクシミリ送信時の処理の流れを示す図。
【図９】図１のファクシミリ装置によるＭＭＲ方式で使用する初期参照ラインデータの変更処理を示すフローチャート。
【符号の説明】
【００４９】
１  ファクシミリ装置
２  読取部
３  記録部
４  符号化・復号化部
５  システム制御部
６  システムメモリ
７  画情報メモリ
８  操作表示部
９  通信制御部
１０  モデム
１１  スイッチ（ＳＷ）部
１２  バス
【図１】
2005210156.tif 000003
【図２】
2005210156.tif 000004
【図３】
2005210156.tif 000005
【図４】
2005210156.tif 000006
【図５】
2005210156.tif 000007
【図６】
2005210156.tif 000008
【図７】
2005210156.tif 000009
【図８】
2005210156.tif 000010
【図９】
2005210156.tif 000011